(57)【要約】      （修正有）【課題】車椅子の利用者が、水や茶の入ったコップや小型のやかんを自力で運搬することができる、着脱が簡単でコンパクトな車椅子用運搬トレイを提供する。【解決手段】開口した頂面３１と閉口した底面３２とを有する柱体又は錐台の形状の収納部３と、収納部３の底面３２より下垂直方向に延びる内足板５と、内足板５と略平行に位置し収納部３の底面３２より下垂直方向に延びる外足板４と、内足板５と外足板４との狭間に位置し収納部３の底面３２より下垂直方向に延びる前足板６と、を具備する。収納部３の底面３２が車椅子のアームレストの上面に着接し、内足板５と外足板４とがアームレストを挟み込み、前足板６がアームレストの前端部に当接する形で装着する。このとき、座上者側に位置する内足板５の下端が車椅子の座面に着接して内足板５が座面上にしっかり立つことにより、トレイ全体がアームレスト上で水平に安定する。【選択図】図３
0003185976.tif 000002
【実用新案登録請求の範囲】
【請求項１】
車椅子のアームレストに着脱自在に装着して使用する運搬用トレイであって、
開口した頂面と閉口した底面とを有する柱体又は錐台の形状の収納部と、
前記収納部の底面より下垂直方向に延びる内足板と、
前記内足板と略並行に位置し前記収納部の底面より下垂直方向に延びる外足板と、
前記内足板と前記外足板との狭間に位置し前記収納部の底面より下垂直方向に延びる前足板と、
を具備し、前記収納部の底面が車椅子のアームレストの上面に着接し、前記内足板と前記外足板が前記アームレストを両側から挟み込み、前記前足板が前記アームレストの前端に当接することにより、前記アームレスト上で前記収納部が水平に保持されることを特徴とする運搬用トレイ。
【請求項２】
前記収納部の形状が略四角柱であることを特徴とする請求項１に記載の運搬用トレイ。
【請求項３】
一部又は全部の材質が剛性樹脂体又は可撓性樹脂体であることを特徴とする請求項１又は請求項２に記載の運搬用トレイ。
【考案の詳細な説明】
【技術分野】
【０００１】
本考案は、車椅子に装着して使用する運搬用トレイに関する。
【背景技術】
【０００２】
施設・病院では、居室に個人用の洗面所がないところが多く、自走が可能である車椅子の座乗者が、両手で車椅子を操作しながら水・茶の入ったコップややかんを運ぶときは、膝の上に載せたり、やかんのつるをストッパー（ブレーキのレバー）に架けたり、さらにはコップややかんを手で持ちながら足で床をけって車椅子を動かすなどの労苦を要する。
【０００３】
このため、結果として介護者の手を借りることが多くなるが、車椅子を利用する軽度の障害者は、日課をできる限り自力で行いたいとの希望が強い。特に、高齢者の義歯の管理に関しては、自力遂行の希望が非常に強いため、水の入った義歯用容器を、車椅子を動かしながら自力で運搬できるようにするための用具の提供が望まれている。
【先行技術文献】
【特許文献】
【０００４】
【特許文献１】特開２００６−２３９３４５号公報
【特許文献２】特開２００７−７６６７９号公報
【考案の概要】
【考案が解決しようとする課題】
【０００５】
自走可能な車椅子の座乗者が容器ややかんを膝に載せたり手で持ったりして車椅子で移動することは、不安定で危険である。また、容器の紐ややかんのつるをストッパーに架けて移動すると、ストッパーの操作時に容器等が動くので、水や茶がこぼれることがある。
【０００６】
上記問題を解決する方法として、特許文献１に記載の車椅子用の着脱式テーブルを利用することが考えられるが、テーブルはもともと移動しながら使用することを前提としていないので、テーブル上の物が移動時に滑って落ちる危険が大きいうえ、洗面所に行くたびにテーブルをセットするのは迂遠である。
【０００７】
また、特許文献２には、車椅子のフレーム等に面ファスナーや紐で固定する、蓋付のドリンクホルダーが開示されているが、この種のものは収納できる容器の形状が限られるうえ、水平位置を保持することができないため上部が開口している液入りコップ等をそのまま運搬することはできない。
【０００８】
本考案は上記問題点に鑑み、着脱が簡単でコンパクトな車椅子用運搬トレイであって、車椅子の利用者が水や茶の入ったコップ、湯呑み、小型のやかん、義歯用容器等を、自力で運搬することができるトレイを提供することを課題とする。
【課題を解決するための手段】
【０００９】
上記課題を解決するため本考案に係る運搬用トレイは、開口した頂面と閉口した底面とを有する柱体又は錐台の形状の収納部と、前記収納部の底面より下垂直方向に延びる内足板と、前記内足板と略平行に位置し前記収納部の底面より下垂直方向に延びる外足板と、前記内足板と前記外足板との狭間に位置し前記収納部の底面より下垂直方向に延びる前足板と、を具備する。収納部には市販のプラスティック容器がぴったりと収まるようになっている。
【００１０】
トレイは車椅子のアームレスト上に前記収納部が水平になるように装着する。すなわち、収納部の底面が車椅子のアームレストの上面に着接し、収納部の底面から下垂直方向に延びる内足板と外足板とがアームレストを挟み込み、同じく収納部の底面から垂直に延びる前足板がアームレストの前端部に当接する形で装着する。
【００１１】
トレイ収納部の水平位置を安定的に保持する役割は内足板が負う。内足板の垂直方向の長さは、アームレスト上部から座面までの距離に等しく、又は数センチほど長めとし、トレイをアームレストに装着した時に前記内足板の下端が車椅子の座面に着接してしっかり立つか又は座面とサイドガードの隙間に差し込むことにより、収納部の底部がアームレストの上面に隙間なく着接し安定する。
【００１２】
内足板とともにアームレストを挟み込む外足板の垂直方向の長さは前記内足板の垂直方向の長さより短く、トレイを車椅子のアームレストに装着した時、前記外足板の下端が車いすのタイヤに接触しない程度の長さになっている。
【００１３】
前足板はアームレストの前端部に当接し、トレイの収納部がアームレスト上で後ろにずれないようになっている。したがって、その垂直方向の長さは、フレーム上部からアームレスト上部までの垂直方向の長さより短く、幅はアームレストの幅にほぼ等しい。
【００１４】
トレイは、左のアームレストに装着するタイプ（図１）と、右のアームレストに装着するタイプ（図２）とがある。
【考案の効果】
【００１５】
トレイはアームレストに簡単に、片手でも着脱できるため、車椅子の座乗者はコップややかんを、車椅子を動かしながら自力で運搬することができるようになる。また、左用と右用が用意されているため、いずれか片腕が麻痺の座乗者もトレイの着脱とコップ等の運搬が可能となる。
【００１６】
さらに、本トレイは前記収納部に市販のプラスティック容器がぴったりと収まるように作成されるため、プラスティック容器内に水やお茶がこぼれても、再々取り外して洗浄することができ、常時衛生的に使用することができる。
【００１７】
トレイは自走中も安定して水平状態を保つため、水が入ったコップ等の容器を、そのまま心配なく、居室のベッドサイドから洗面所や台所まで運ぶことができるようになる。ただし、衝突時等の安全を考慮し、本トレイは熱湯の運搬には使用できない。
【００１８】
上記効果の結果、車椅子利用者の自立が促進され、介助者の介助量が軽減する。
【図面の簡単な説明】
【００１９】
【図１】左用の運搬用トレイをア−ムレストに装着した時の斜視図である。
【図２】右用の運搬用トレイをア−ムレストに装着した時の斜視図である。
【図３】運搬用トレイ（左用）の斜視図である。
【図４】運搬用トレイ（右用）の各部の望ましい寸法を示す斜視図である。
【考案を実施するための形態】
【００２０】
以下、本考案の実施形態の１例を図面を参照して説明する。
【００２１】
本考案に係る運搬用トレイは図３に示すように、開口した頂面と閉口した底面とを有する箱型の収納部３と、収納部３の底面３２より下垂直方向に延びる内足板５・外足板４・前足板６を具備する。
【００２２】
トレイはアームレスト２１に装着するが、左のアームレスト２１に装着するタイプ（図１、図３）と、右のアームレスト２１に装着するタイプ（図２、図４）とでは、前足板６と内足板５・外足板４との位置関係が異なる。
【００２３】
装着に際しては、収納部３の底面３２がアームレスト２１の上部に着接し、略平行する２枚の板である内足板５と外足板４とがアームレスト２１を挟み込み、前足板６がアームレスト２１の前端に当接する形でアームレスト２１上に固定される。
【００２４】
このとき、座上者側に位置する内足板５の下端が車椅子の座面２２に着接して内足板５が座面２２上にしっかり立つことにより、又は座面とサイドガードの隙間に差しこまれることにより、トレイ全体がアームレスト２１上で水平に安定する（図２）。このため、内足板５の垂直方向の長さは、アームレスト２１上部から座面２２までの距離（標準の車椅子の場合で２５０ｍｍ）と等しく又は数センチほど長くなっており（図２、図４）、内足板５が座面２２上に垂直に立つか又は座面とサイドガードの隙間に差しこまれる状態で収納部３の底面３２がアームレスト２１の上面に水平に隙間なく着接する。
【００２５】
一方、外足板４は車椅子の外側（タイヤ側）でアームレスト２１に着接するため、垂直方向の長さは、下端が車椅子のタイヤ２４に接触しない程度の長さになっている（図１、図４）
【００２６】
前足板６はアームレスト２１の前端に当接し、アームレスト２１上で収納部３が後ろ方向にずれないようになっている。このため、前足板６の垂直方向の長さは、フレーム２３上部からアームレスト２１上部までの長さより短くし、水平方向の長さ（幅）はアームレストの幅に合わせる。
【００２７】
収納部３の形状・大きさは、被運搬物の形状・大きさに合わせて、あらゆる形状・大きさの柱体又は錐台とすることが可能であるが、本実施形態においては、箱型（略直方体）として、以下に望ましい寸法及び材質を示す。
【００２８】
略直方体である収納部３の望ましい寸法は、図４に示すとおりである。すなわち、奥行は座乗者がハンドリム２５を操作するとき腕に当たらない程度の長さである１５０ｍｍ程度とし、幅はアームレスト２１内側とハンドリム２５間の水平距離より長いと移動時に柱や壁に当たってしまうので、それより短く１３０ｍｍ以下とすることが望ましい。また、高さは、コップや小型のやかんを安定して載置することができる４０〜５０ｍｍ程度とすることが望ましい（図４）。以上の寸法を考慮しながら市販の容器を選択して収納部３とし、これに合わせて内足板・外足板・前足板を接合させて作成する。
【００２９】
トレイの材質については、作成・加工が簡単な剛性樹脂体又は可撓性樹脂体とすることが望ましいが、収納部には家庭用の可撓性樹脂体の容器を使用する一方、硬度が求められる内足板・外足板・前足板には剛性樹脂体の板を使用することも可能である。
【００３０】
収納部３と内足板５・外足板４・前足板６との接続は、全部が剛性樹脂体である場合には溶接も可能であるが、市販の可撓性樹脂体の容器に剛性樹脂板を接続させて作成する場合には、布製の粘着テープを使用することも可能である。
【符号の説明】
【００３１】
１      運搬用トレイ
２      車椅子
２１    アームレスト
２２    座面
２３    フレーム
２４    タイヤ
２５    ハンドリム
２６    ストッパー
３      収納部
３１    収納部の頂面（開口）
３２    収納部の底面（閉口）
４      外足板
５      内足板
６      前足板
【図１】
0003185976.tif 000003
【図２】
0003185976.tif 000004
【図３】
0003185976.tif 000005
【図４】
0003185976.tif 000006